(57)【要約】      （修正有）【課題】そのベランダの上層階からと、隣接との仕切り壁伝いによる、第三者の住居及び居室への侵入を防ぐと共に、地震等による建造物の揺れを即座に知らせ、被害を防ぐ。【解決手段】植木鉢及びプランターを一定の高さに保持（抵部より約１００Ｃｍ）しベランダ等の外壁内側にフックし、これに警報装置を取りつけ、本考案物に接触移動（約１，０ｍｍ）すれば、センサー装置が作動し、音、又は光を発報発信する。【選択図】図１
0003132663.tif 000002
【実用新案登録請求の範囲】
【請求項１】
個人住宅の高層化に対して、個人が管理出来る植物及び小菜園等の土地が無いのが現状です、因ってベランダよりの空間部分を最小最大限に利用し心を癒す、緑の耕作物品作りのすると共に，この商品利用に対し、防犯警戒の薄い、ベランダ側よりの異常者および犯罪者の侵入を防止すると共に、近未来に発生するであろうと予想される地震災害等の現場状況を関知する警報装置を備えたベランダ用プランターキーパーである。
【請求項２】
この商品は、建設工業等の鉄筋加工過程より発生する裁断クズ〔鉄筋コンクリート用異形棒鋼〕材を、再利用し廃棄物の減少に努力するものである。
【考案の詳細な説明】
【技術分野】
【０００１】本考案は、高層化される住居に対しての、緑、という人の心に癒しの色を与える且つ、不侵者のベランダよりの侵入未然に防ぎ、又、地震災害等が発生した場合、警報装置が作動する、警報装置付のプランターキーパーに関する物である。
【背景技術】
【０００２】現代の高層住居においての、防犯対策として、正面玄関及びその周辺に対しての警備員等により、テレビカメラ等によって、遠隔監視及びそのモニターで、建造物の一部を監視しているのが実態である。
【考案の開示】
【考案が解決しようとする課題】
【０００３】高層住宅の、各家庭ごとに、そのベランダの上層階からと、隣接との仕切り壁伝いによる、第三者が所有者の許可、承諾を得ず無断で、その住居及び居室への侵入を防ぐと共に、地震等による建造物の揺れを即座に知らせ、被害を防ぐものである。
【課題を解決するための手段】
【０００４】本考案は、植木鉢及びプランターを一定の高さに保持（抵部より約１００Ｃｍ）しベランダ等の外壁内側にフックし、これに警報装置を取りつけ、本考案物に接触移動（約１，０ｍｍ）すれば、センサー装置が作動し、音、又は光を発報発信する事により不法侵入者を、即時その場所より退去させ、及び地震等による被害を、小限の住民等に知しめるものである。
【考案の効果】
【０００５】侵入盗犯等が一番恐れるものは、「音と光」であるとされる、因って本考案物には、犯罪の予防と鎮圧が含まれており、その予防対策に役立つと共に、近未来に発生されるとする、大地震々災に対して、建造物の倒壊前に起る、揺れを関知し、第三者に知らせ、防犯予防と震災警報に役立つ物である。【０００６】本考案物は、鉄筋コンクリート住宅用棒鋼の、リブ付コブを使用しているため、台風、地震発生時に起る、プランター  、植木鉢の転倒及び落下等における、二次災害を最小限度に防止するものである。
【考案を実施するための最良形態】
【０００７】本考案物は環境破壊に伴なう、高層化する鉄筋コンクリート住宅の居住空間を、最小最大限に利用し対して、その源である「緑」呼び戻すものである。
植木、草花には、心の癒しを与え、且つ、小菜園の役目も果してくれるものである本考案物は人家住民が不在、又、就寝中であっても、固定センサーのズレにより、その機能が発揮されるものである。
【実施例】
【０００８】  以下は添付図面にしたがって説明する。
本考案物の使用材料は、現に加工された裁断クズで、ＪＩＳ規格鉄筋の１０ｍｍ、相当で製作しており、その重量は、約３．０Ｋｇ程度であるので、移動行為をさせるにも、外壁の形状にあわせて移動することが容易である。【０００９】  本考案物の、耐積載重量は天秤方法により試験の結果、大人５人、約３００Ｋｇの吊がり方法で実験するも、何の変化も発生しない物である。【００１０】  本考案物の上述の如く、「緑」と言う心の「癒し」と「安らぎを」テーマにし、これに、安心を重ね、不法侵入者への威嚇と警戒、そして熟睡中に発生する地震等退避に相当する揺れも、警報が同時に動くものである。【００１１】  本考案物の上述の如くを目的に開発するも、この警報装置に付いては、現代社会の空間には、無数の電波が発生されているため、その誤報を防ぐため、センサーの作動は有線とし、本考案物の取扱に対しても簡素化と利便性から警報装置は、本考案物に取付け加工を完成品とする。
【図面の簡単な説明】
【００１２】
【図１】  本考案物の斜視図
【図２】  本考案物のフックする断面図
【符号の説明】
【００１３】［図１］  Ａーａ    ベランダの隣接防護壁が右にある場合のセンサー位置
Ａーｂ    ベランダの隣接防護壁が右にある場合の発信装置位置
Ｂーａ    ベランダの隣接防護壁が左にある場合のセンサー位置
Ｂーｂ    ベランダの隣接防護壁が左にある場合の発信装置位置
［図２］  Ｃー１    ベランダフロアー
Ｃー２    上階天上
Ｃー３    ベランダ用出入口扉
Ｃー４    ベランダフロアーよりの墜落防止壁又は安全ネット
【図１】
0003132663.tif 000003
【図２】
0003132663.tif 000004
【手続補正書】
【提出日】平成19年3月7日(2007.3.7)
【手続補正１】
【補正対象書類名】実用新案登録請求の範囲
【補正対象項目名】全文
【補正方法】変更
【補正の内容】
【実用新案登録請求の範囲】
【請求項１】
本考案物はベランダ側よりの異常者および犯罪者の侵入を予防すると共に、近未来に発生するであろうと予測される地震災害等の現場状況を関知する警報装置を備えた、キーパー本体にセンサーを取り付け、荷重が、かかったときと自然災害現象発生時微少のズレ移動が発生したとき、該本体に設けた警報装置が動くようにした、ベランダ用プランターキーパー。
【請求項２】
キーパー本体には、鉄筋コンクリート用、異形棒鋼材を用いることを特長とし、請求項１記載の警報装置付プランターキーパー。
【手続補正２】
【補正対象書類名】明細書
【補正対象項目名】全文
【補正方法】変更
【補正の内容】
【考案の詳細な説明】
【技術分野】
【０００１】本考案は、高層化される住居に対しての、緑、という人の心に癒しの色を与える且つ、不侵者のベランダよりの侵入未然に防ぎ、又、地震災害等が発生した場合、警報装置が作動する、警報装置付のプランターキーパーに関する物である。
【背景技術】
【０００２】現代の高層住居においての、防犯対策として、正面玄関及びその周辺に対しての警備員等により、テレビカメラ等によって、遠隔監視及びそのモニターで、建造物の一部を監視しているのが実態である。
【考案の開示】
【考案が解決しようとする課題】
【０００３】高層住宅の、各家庭ごとに、そのベランダの上層階からと、隣接との仕切り壁伝いによる、第三者が所有者の許可、承諾を得ず無断で、その住居及び居室への侵入を防ぐと共に、地震等による建造物の揺れを即座に知らせ、被害を防ぐものである。
【課題を解決するための手段】
【０００４】本考案は、植木鉢及びプランターはベランダ底部分が通路面上より約１００Ｃｍ程の一定の高さにし、ベランダ等の外壁内側に図２、Ｃ＝４にフックし、これに警報装置を取りつけ、本考案物が接触移動、約１ｍｍ、すれば、図１、Ａーａおよび，図１、Ｂーｂセンサー装置が作動し、音、又は光を発報発信図１、ＡーｂＢーｂ，する事により不法侵入者を、即時その場所より退去させ、及び地震等による被害を、最小限の住民等に知しめるものである。
【考案の効果】
【０００５】侵入盗犯等が一番恐れるものは、「音と光」であるとされる、因って本考案物には、犯罪の予防と鎮圧が含まれており、その予防対策に役立つと共に、近未来に発生されるとする、大地震々災に対して、建造物の倒壊前に起る、揺れを関知し、第三者に知らせ、防犯予防と震災警報に役立つ物である。【０００６】本考案物は、鉄筋コンクリート住宅用棒鋼の、リブ付コブを使用しているため、台風、地震発生時に起る、プランター、植木鉢の転倒及び落下等における、二次災害を最小限度に防止するものである。
【考案を実施するための最良形態】
【０００７】本考案物は環境破壊に伴なう、高層化する鉄筋コンクリート住宅の居住空間を、最小最大限に利用し対して、その源である「緑」呼び戻すものである。
植木、草花には、心の癒しを与え、且つ小菜園の役目も果してくれるものである本考案物は人家住民が不在、又、就寝中であっても、図１、Ａーａ、Ｂーａの固定センサーのズレにより、その機能が発揮されるものである。
【実施例】
【０００８】以下は添付図面にしたがって説明する。
本考案物の使用材料は、現に加工された裁断クズで、ＪＩＳ規格鉄筋の１０ｍｍ、相当で製作しており、その重量は、約３．０Ｋｇ程度であるので、移動行為をさせるにも、外壁の形状にあわせて移動することが容易である。【０００９】本考案物の、耐積載重量は天秤方法により試験の結果、大人５人、約３００Ｋｇの吊がり方法で実験するも、何の変化も発生しない物である。【００１０】  本考案物の上述の如く、「緑」と言う心の「癒し」と「安らぎを」テーマにし、これに、安心を重ね、不法侵入者への威嚇と警戒、そして熟睡中に発生する地震等退避に相当する揺れも、警報が同時に動くものである。【００１１】本考案物の上述の如くを目的に開発するも、この警報装置に付いては現代社会の空間には、無数の電波が発生されているため、センサー図１のＡーａ、Ｂーａのについては発信装置、１図のＡーｂ、Ｂーｂの誤作動を防ぐため被覆有線による配線を使用し考案物の取扱に対しても簡素化と利便性から警報装置は、本考案物に取付け加工を完成品とする。
【図面の簡単な説明】
【００１２】
【図１】本考案物の斜視図
【図２】本考案物のフックする断面図
【符号の説明】
【００１３】［図１］  Ａーａ    ベランダの隣接防護壁が左にある場合のセンサー位置
Ａーｂ    ベランダの隣接防護壁が右にある場合の発信装置位置
Ｂーａ    ベランダの隣接防護壁が右にある場合のセンサー位置
Ｂーｂ    ベランダの隣接防護壁が左にある場合の発信装置位置
［図２］  Ｃー１    ベランダフロアー平面足下部
Ｃー２    上階天上部
Ｃー３    ベランダ用出入口扉部
Ｃー４    ベランダフロアーよりの墜落防止壁又は安全ネット部
【手続補正３】
【補正対象書類名】図面
【補正対象項目名】全図
【補正方法】変更
【補正の内容】
【図１】
0003132663.tif 000005
【図２】
0003132663.tif 000006